(57)【特許請求の範囲】
【請求項１】
円筒状の芯軸の両端面それぞれに側板が平行に固着され、上記芯軸の円筒状壁部の少なくとも一ヶ所に、巻き取るエンボステーピング品の厚さ寸法よりも広い幅で上記両側板間に亘る開口部を有すると共に、上記両側板の少なくとも一方の中心孔と上記開口部との間に所定の大きさの貫通孔を有する構成のリールに上記エンボステーピング品を巻き取る方法であって、まず、このリールを上記両側板の中心孔を中心として回転可能に保持した後、上記芯軸に平行な軸線方向に伸びる支持軸によって支持され、しかも少なくとも一方が回動して両者の先端部間の距離が変えられる構成とされた二つの板状の押え爪を、上記エンボステーピング品の厚さ寸法よりも広い間隔で、上記リールの側板の貫通孔から上記芯軸内の上記開口部に対応する位置に上記芯軸に平行な軸線方向から挿入しておき、上記エンボステーピング品の一端部を上記リールの芯軸の開口部から上記二つの押え爪をガイド部としてその間に挿入した後、上記二つの押え爪の先端部どうしが近づくように上記押え爪の少なくとも一方を上記支持軸を介して回動させることによって上記エンボステーピング品の一端部を挟み付け、この状態で上記リールと共に上記二つの押え爪および上記支持軸を同方向に同期して回転させて上記エンボステーピング品の巻き取りを開始し、上記エンボステーピング品が上記リールに対して空転しない状態まで巻かれた後に、上記二つの押え爪を上記リールの側板の貫通孔を通して抜去するエンボステーピング品の巻取り方法。
【請求項２】
二つの押え爪が平板をくの字形に折り曲げた形状であり、このくの字形の折り曲げ部よりもリールの外周側の外平板部は先端側が広がるように、上記折り曲げ部よりも上記リールの中心側の内平板部どうしは略平行で、上記リールの回転中心線に対して平行に配置されていると共に、上記押え爪の少なくとも一方が上記くの字形の折り曲げ部を中心として回動可能に支持軸によって支持されており、上記リールの側板の貫通孔から芯軸内の開口部に対応する位置に上記芯軸に平行な軸線方向から挿入されて、上記二つの押え爪をガイド部としてその間に挿入されたエンボステーピング品の一端部を挟み付ける場合に、上記二つの押え爪の内平板部の先端部どうしが近接した状態となる請求項１記載のエンボステーピング品の巻取り方法。
【請求項３】
二つの押え爪をガイド部としてその間に挿入されたエンボステーピング品の凹部が設けられた側に当接する押え爪のみが、くの字形の折り曲げ部を中心として回動可能に支持され、他方の押え爪は回動しないように支持された請求項２記載のエンボステーピング品の巻取り方法。
【請求項４】
二つの押え爪がリールの両側板間の間隔よりも狭い幅の平板状であって、上記リールの側板の貫通孔内の中心よりも外方の二点において、連動して回動可能にそれぞれの一端を支持軸によって支持されており、上記リールの芯軸内に挿入・抜去される場合およびエンボステーピング品の一端部を挟み付ける場合には、それぞれの自由端が回動中心よりも上記リールの中心側の位置にあって、上記二つの押え爪が平行状態または上記自由端が近接した状態となり、上記エンボステーピング品の一端部が両者の間に挿入される場合には、上記それぞれの自由端が回動中心よりも上記リールの外周側の位置において扇形に広がった状態となる請求項１記載のエンボステーピング品の巻取り方法。
【請求項５】
円筒状の芯軸の両端面それぞれに側板が平行に固着され、上記芯軸の円筒状壁部の少なくとも一ヶ所にエンボステーピング品の厚さ寸法よりも広い幅で上記両側板間に亘る開口部を有すると共に、上記二つの側板の少なくとも一方の中心孔と上記開口部との間に所定の大きさの貫通孔を有するリールを回転可能に保持するリール保持部と、板状の二つの押え爪を、上記エンボステーピング品の厚さ寸法よりも広い間隔で、しかも少なくとも一方が回動して両者の先端部間の距離が変えられると共に、上記リールの側板の貫通孔から上記芯軸内の上記開口部に対応する位置に上記芯軸に平行な軸線方向から挿入・抜去可能であるように支持する押え爪支持部とを備えた請求項１記載のエンボステーピング品の巻取り方法を用いた巻取り装置。
【発明の詳細な説明】
【０００１】
【発明の属する技術分野】
本発明は、チップ型電子部品等を絶縁フィルム等からなるエンボステープに連続して収容したエンボステーピング品をリールに巻き取る、エンボステーピング品の巻取り方法およびそれを用いた巻取り装置に関するものである。
【０００２】
【従来の技術】
近年、電子機器の小型・薄型化が進展し、それに使用される電子部品も表面実装タイプのチップ型電子部品が多くなっている。
【０００３】
そして、表面実装タイプのチップ型電子部品は、自動実装に対応するために、エンボステープに連続して収容したエンボステーピング品を所定のリールに巻き付けた包装形態で、輸送・供給されることが多い。
【０００４】
チップ型電子部品を収容したエンボステーピング品を所定のリールに巻き取る従来の方法について、図１０〜図１２を用いて説明する。
【０００５】
図１０はエンボステープにチップ型電子部品を連続して収容したエンボステーピング品をリールに巻き付ける包装形態を説明する斜視図である。
【０００６】
同図に示すように、絶縁フィルムに凹部２Ａを所定のピッチで連続してエンボス加工したエンボステープ２の各凹部２Ａ内に、チップタイプの電子部品１が所定の向きで個々に収容され、凹部２Ａ上を覆うようにカバーテープ３がエンボステープ２の上面に貼り付けられて、エンボステーピング品４とされる。
【０００７】
そして、このエンボステーピング品４がリール５に巻き取られた包装形態で、電子機器の製造ラインに輸送・供給される。
【０００８】
このリール５は、図１１のリールの部分断面の斜視図に示すように、円柱状の芯軸５Ａの両側面それぞれに側板５Ｂが固着されたものであり、芯軸５Ａの外周面５Ｃから中心に向けて、エンボステーピング品４の厚さ寸法よりも少し広幅の溝部５Ｄが、ほぼ両側板５Ｂ間に亘って設けられている。
【０００９】
そして、リール５にエンボステーピング品４を巻き取る際には、図１２のリール芯軸部分の正面断面図に示すように、まずエンボステーピング品４の一端部４Ａをリール５の芯軸５Ａの溝部５Ｄ内に挿入し、その状態でリール５を回転させることによって、エンボステーピング品４先端の凹部２Ａをその厚さ寸法よりも少し広幅の溝部５Ｄに引掛けて係止させ、リール５を回転させていくことにより、二巻き目で抜けないように押さえつけて、エンボステーピング品４をリール５に巻き取っていくものであった。
【００１０】
【発明が解決しようとする課題】
しかしながら上記従来のエンボステーピング品の巻取り方法においては、リール５への巻き始め時に、エンボステーピング品４の一端部４Ａの凹部２Ａがリール５の芯軸５Ａの溝部５Ｄに引掛けられるだけで、芯軸５Ａに完全に係止されていない状態でリール５を回転させて巻き始めるものであるため、エンボステーピング品４の先端が芯軸５Ａの溝部５Ｄから抜けてしまうことがあるという課題があった。
【００１１】
そして、この巻き始め時に、上記のようにエンボステーピング品４の先端が芯軸５Ａから抜けることを少なくするためには、エンボステーピング品４の厚さ寸法に応じた幅の溝部５Ｄを有するリール５を適宜使用しなければならないが、近年エンボステーピング品４の種類は多岐に亘っており、従ってこれに対応するリール５も種々のものが必要となり、リール５の管理が煩雑になってしまうという課題もあった。
【００１２】
本発明は、このような従来の課題を解決するものであり、巻き始め時に、エンボステーピング品の先端がリールから抜けることを少なくすることができ、しかもリールの共用化ができて管理が容易であるエンボステーピング品の巻取り方法およびそれを用いた巻取り装置を提供することを目的とする。
【００１３】
【課題を解決するための手段】
上記目的を達成するために本発明は、以下の構成を有するものである。
【００１４】
本発明の請求項１に記載の発明は、円筒状の芯軸の両端面それぞれに側板が平行に固着され、上記芯軸の円筒状壁部の少なくとも一ヶ所に、巻き取るエンボステーピング品の厚さ寸法よりも広い幅で上記両側板間に亘る開口部を有すると共に、上記両側板の少なくとも一方の中心孔と上記開口部との間に所定の大きさの貫通孔を有する構成のリールに上記エンボステーピング品を巻き取る方法であって、まず、このリールを上記両側板の中心孔を中心として回転可能に保持した後、上記芯軸に平行な軸線方向に伸びる支持軸によって支持され、しかも少なくとも一方が回動して両者の先端部間の距離が変えられる構成とされた二つの板状の押え爪を、上記エンボステーピング品の厚さ寸法よりも広い間隔で、上記リールの側板の貫通孔から上記芯軸内の上記開口部に対応する位置に上記芯軸に平行な軸線方向から挿入しておき、上記エンボステーピング品の一端部を上記リールの芯軸の開口部から上記二つの押え爪をガイド部としてその間に挿入した後、上記二つの押え爪の先端部どうしが近づくように上記押え爪の少なくとも一方を上記支持軸を介して回動させることによって上記エンボステーピング品の一端部を挟み付け、この状態で上記リールと共に上記二つの押え爪および上記支持軸を同方向に同期して回転させて上記エンボステーピング品の巻き取りを開始し、上記エンボステーピング品が上記リールに対して空転しない状態まで巻かれた後に、上記二つの押え爪を上記リールの側板の貫通孔を通して抜去するエンボステーピング品の巻取り方法としたものであり、リールの芯軸の円筒状壁部の開口部を通して芯軸内に挿入したエンボステーピング品の一端部を、円筒状の芯軸内において芯軸に平行な軸線方向から挿入した二つの押え爪を支持軸を介して回動させ、その先端部で挟み付けて係止された状態でリールを回転させて巻き始めるので、巻き始め時に、エンボステーピング品の先端がリールの芯軸の開口部から抜けることを少なくすることができ、また、エンボステーピング品の厚さ寸法に対して、リールの芯軸壁部に設ける開口部の幅寸法等の制約が少ないので、リールの大幅な共用化が可能となり管理も容易であるエンボステーピング品の巻取り方法を実現できるという作用効果を有する。
【００１５】
請求項２に記載の発明は、請求項１記載の発明において、特に、二つの押え爪が平板をくの字形に折り曲げた形状であり、このくの字形の折り曲げ部よりもリールの外周側の外平板部は先端側が広がるように、上記折り曲げ部よりも上記リールの中心側の内平板部どうしは略平行で、上記リールの回転中心線に対して平行に配置されていると共に、上記押え爪の少なくとも一方が上記くの字形の折り曲げ部を中心として回動可能に支持軸によって支持されており、上記リールの側板の貫通孔から芯軸内の開口部に対応する位置に上記芯軸に平行な軸線方向から挿入されて、上記二つの押え爪をガイド部としてその間に挿入されたエンボステーピング品の一端部を挟み付ける場合に、上記二つの押え爪の内平板部の先端部どうしが近接した状態となるものであり、くの字形に形成された二つの押え爪において、先端側が広がった外平板部は、エンボステーピング品の一端部をリールの芯軸の開口部に挿入する際に、その一端部が確実に二つの押え爪の間に入り込むようにガイド部の役割をすると共に、略平行となった内平板部は、少なくとも一方の押え爪が僅かな角度だけ回動することによってエンボステーピング品の一端部を挟み付ける係止部の役割をするという作用効果を有する。
【００１６】
請求項３に記載の発明は、請求項２記載の発明において、特に、二つの押え爪をガイド部としてその間に挿入されたエンボステーピング品の凹部が設けられた側に当接する押え爪のみが、くの字形の折り曲げ部を中心として回動可能に支持され、他方の押え爪は回動しないように支持されたものであり、請求項２記載の発明による作用効果に加えて、通常、エンボステーピング品は凹部が設けられている側を内側として巻き取られ、また、リールの円筒状の芯軸内に挿入されたエンボステーピング品の一端部に対し、押え爪の先端部を凹部の外周に当てて確実に係止させるようにできるので、二つの押え爪のうちエンボステーピング品の凹部が設けられている側の押え爪のみが回動すれば、ガイド部としての役割および係止部としての役割を果たすことができ、従って、押え爪部分の構成を簡単なものにすることができるという作用効果を有する。
【００１７】
請求項４に記載の発明は、請求項１記載の発明において、特に、二つの押え爪がリールの両側板間の間隔よりも狭い幅の平板状であって、上記リールの側板の貫通孔内の中心よりも外方の二点において、連動して回動可能にそれぞれの一端を支持軸によって支持されており、上記リールの芯軸内に挿入・抜去される場合およびエンボステーピング品の一端部を挟み付ける場合には、それぞれの自由端が回動中心よりも上記リールの中心側の位置にあって、上記二つの押え爪が平行状態または上記自由端が近接した状態となり、上記エンボステーピング品の一端部が両者の間に挿入される場合には、上記それぞれの自由端が回動中心よりも上記リールの外周側の位置において扇形に広がった状態となるものであり、二つの押え爪がシンプルな短い平板状であって、押え爪の自由端が回動中心よりも外周側の位置において扇形に広がった場合には、エンボステーピング品の一端部が確実に二つの押え爪の間に入り込むようにするガイド部の役割をし、この後、それぞれの押え爪の一端を中心として、挿入されたエンボステーピング品に当たらないように連動して反対方向に回動し、自由端が回動中心よりもリールの中心側において近接した状態になると、エンボステーピング品の一端部を挟み付けて係止部の役割をすることができ、更に、この状態において二つの押え爪をリールの円筒状の芯軸内に挿入・抜去させれば、側板の貫通孔の径を小さなものにすることができるという作用効果を有する。
【００１８】
請求項５に記載の発明は、円筒状の芯軸の両端面それぞれに側板が平行に固着され、上記芯軸の円筒状壁部の少なくとも一ヶ所にエンボステーピング品の厚さ寸法よりも広い幅で上記両側板間に亘る開口部を有すると共に、上記二つの側板の少なくとも一方の中心孔と上記開口部との間に所定の大きさの貫通孔を有するリールを回転可能に保持するリール保持部と、板状の二つの押え爪を、上記エンボステーピング品の厚さ寸法よりも広い間隔で、しかも少なくとも一方が回動して両者の先端部間の距離が変えられると共に、上記リールの側板の貫通孔から上記芯軸内の上記開口部に対応する位置に上記芯軸に平行な軸線方向から挿入・抜去可能であるように支持する押え爪支持部とを備えた請求項１記載のエンボステーピング品の巻取り方法を用いた巻取り装置としたものであり、巻き始め時に、エンボステーピング品の先端がリールの芯軸の開口部から抜けることを少なくすることができ、また、リールの大幅な共用化ができて管理も容易であるエンボステーピング品の巻取り装置を実現できるという作用効果を有する。
【００１９】
【発明の実施の形態】
以下、本発明の実施の形態について、図１〜図９を用いて説明する。
【００２０】
なお、従来の技術の項で説明した構成と同一構成の部分には同一符号を付して、詳細な説明を省略する。
【００２１】
（実施の形態１）
実施の形態１を用いて、本発明の特に請求項１〜３および５に記載の発明について説明する。
【００２２】
図１は本発明の第１の実施の形態によるエンボステーピング品の巻取り装置にリールを装着した状態における要部の正面断面図、図２は同巻取り装置に使用するリールの部分断面の斜視図、図３は同巻取り装置の要部の部分断面の斜視図である。
【００２３】
同図に示すように、リール１１は硬質の樹脂で形成され、円筒状の芯軸１２の両側面それぞれに側板１３，１４が固着され、芯軸１２の円筒状壁部には、従来の技術の場合と同様のエンボステーピング品４の厚さ寸法よりも広い幅で両側板１３，１４間に亘る開口部１５を有すると共に、側板１３の中心孔１６と開口部１５との間には、後述の二つの押え爪２７，２８が通る大きさの貫通孔１３Ａが設けられている。
【００２４】
また、巻取り装置は、リール１１の保持部２１とエンボステーピング品４の押え部２２を有している。
【００２５】
リール１１の保持部２１は、第一回転軸２３とその先端に固定された円板状の第一保持板２４、およびこれらと同心軸上に対向して配設され、先端部の外周に放射状に突出した三つの金属羽根２５Ａを有する第二回転軸２５とこれに固定された円板状の第二保持板２６とを有している。
【００２６】
そして、第一保持板２４には、第一回転軸２３の中心からの距離が、リール１１の側板１３の中心から貫通孔１３Ａまでの距離に相当する位置に、貫通孔１３Ａと同等の大きさの貫通孔２４Ａが設けられている。
【００２７】
そして、エンボステーピング品４の押え部２２は、図４の押え爪部分の拡大斜視図に示すように、平板をくの字形に折り曲げた形状の二つの押え爪２７，２８が、くの字形の折り曲げ部２７Ａ，２８Ａよりも第一回転軸２３から遠い側の外平板部２７Ｂ，２８Ｂは先端側が広がるように、折り曲げ部２７Ａ，２８Ａよりも第一回転軸２３に近い側の内平板部２７Ｃ，２８Ｃどうしはエンボステーピング品４の厚さ寸法よりも広い間隔で略平行に、第一保持板２４の貫通孔２４Ａの中心とほぼ同じ半径上において、折り曲げ部２７Ａ，２８Ａを二つの支持軸２９，３０によって支持されており、この支持軸２９，３０を介して二つの押え爪２７，２８を前後動および回動させる駆動部３１（図１に点線で示す）を備えている。
【００２８】
この駆動部３１は、図３に示すように、枠体３２に保持された二つの支持軸２９，３０を所定の方向に回動させる歯車部３３と、枠体３２を前後動させることにより、支持軸２９，３０および押え爪２７，２８を前後動させるプランジャ３４から成り、駆動部３１を含めた押え部２２全体として、第一回転軸２３および第一保持板２４と同期して回転できるようになっている。
【００２９】
次に、このエンボステーピング品の巻取り装置の動作について説明する。
【００３０】
まず、図３に二点鎖線で示すように、保持部２１の第二回転軸２５の第二保持板２６より先端側にリール１１を装着する。
【００３１】
この時、リール１１が第二回転軸２５と共回りするように、第二回転軸２５の三つの金属羽根２５Ａをリール１１の中心孔１６に設けられた三ヶ所の切込みに嵌め込む。
【００３２】
次に、図３に矢印で示すように、リール１１を装着した第二回転軸２５を第一回転軸２３に当接する直前位置まで近付け、図１に示すように、リール１１を第二保持板２６と第一保持板２４の間に、僅かに隙間をあけた状態で挟むようにする。
【００３３】
この時、第一保持板２４の貫通孔２４Ａとリール１１の側板１３の貫通孔１３Ａは、センサー（図示せず）で確認して角度位置を合わせられる。
【００３４】
そして次に、駆動部３１のプランジャ３４が枠体３２を押すことによって、支持軸２９，３０を介して二つの押え爪２７，２８がリール１１に向けて押し出され、第一保持板２４の貫通孔２４Ａおよび側板１３の貫通孔１３Ａを通って芯軸１２内の開口部１５に対応する位置まで挿入されて、図１に示す状態となる。
【００３５】
この状態において、巻き取るべきエンボステーピング品４の先端をリール１１の外周側から両側板１３，１４の間に入れて、図５（ａ）の押え爪の先端側から見た押え爪部分の動作を説明する概念図に示すように、エンボステーピング品４の一端部４Ａを芯軸１２の開口部１５から二つの押え爪２７，２８の間に挿入する。
【００３６】
この時、押え爪２７，２８の先端側が広がった外平板部２７Ｂ，２８Ｂは、エンボステーピング品４の一端部４Ａが確実に二つの押え爪２７，２８の間に入り込むようにするガイド部の役割をする。
【００３７】
次に、駆動部３１の歯車部３３が回転して支持軸２９，３０すなわち二つの押え爪２７，２８を、折り曲げ部２７Ａ，２８Ａを中心として互いに僅かな角度だけ回動させて、図５（ｂ）に矢印で示すように、押え爪２７，２８の略平行となっていた内平板部２７Ｃ，２８Ｃの先端部どうしを接近させることによって、エンボステーピング品４の一端部４Ａをしっかりと挟み付けて、内平板部２７Ｃの先端部が凹部２Ａの外周に引っ掛かって一端部４Ａを係止する。
【００３８】
すなわち、押え爪２７，２８の内平板部２７Ｃ，２８Ｃがエンボステーピング品４の一端部４Ａの係止部の役割をする。
【００３９】
そして、この状態において、第二回転軸２５すなわちリール１１を所定の方向に回転させると、エンボステーピング品４はリール１１に巻き取られていき、エンボステーピング品４の一端部４Ａを挟持した二つの押え爪２７，２８を有する押え部２２全体および、押え爪２７，２８に貫通孔２４Ａの内縁を押される第一保持板２４並びに、これと固定された第一回転軸２３もリール１１と同方向に同期して回転する。
【００４０】
この後、リール１１に所定量のエンボステーピング品４を巻き終わるまで押え部２２全体および第一回転軸２３を回転させた後、あるいは、エンボステーピング品４がリール１１の芯軸１２の周囲に一巻を越えて巻かれて、リール１１との間で空転しない状態になったら、二つの押え爪２７，２８を図５（ｂ）の状態のまま或いは同図（ａ）の状態に戻してから、押え部２２のプランジャ３４で枠体３２を引張ることによって、二つの押え爪２７，２８をリール１１の円筒状の芯軸１２から抜去する。
【００４１】
そして、リール１１に所定量のエンボステーピング品４が巻き終わった後、第二回転軸２５を第一回転軸２３から離して、リール１１を取り外す。
【００４２】
このように本実施の形態によれば、リール１１の芯軸１２の円筒状壁部の開口部１５を通して挿入したエンボステーピング品４の一端部４Ａを、円筒状の芯軸１２内において二つのくの字形の押え爪２７，２８の内平板部２７Ｃ，２８Ｃの先端部で確実に挟み付けて、凹部２Ａの外周に引っ掛かった係止状態でリール１１を回転させて巻き始めるので、巻き始め時に、エンボステーピング品４の先端がリール１１の芯軸１２の開口部１５から抜けることを少なくすることができる。
【００４３】
また、エンボステーピング品４の厚さ寸法に対して、リール１１の芯軸１２の壁部に設ける開口部１５の幅寸法等の制約が少ないので、リール１１の大幅な共用化が可能となり管理も容易であるエンボステーピング品の巻取り方法およびそれに用いる巻取り装置を実現することができる。
【００４４】
なお、上記の説明において、リール１１の円筒状の芯軸１２に設ける開口部１５およびこれに対応して側板に設ける貫通孔は側板１３の貫通孔１３Ａ一ヶ所だけであるように説明したが、これを複数箇所にしておけば、リールを巻取り装置に装着する際に、第一保持板２４の貫通孔２４Ａとの角度位置を容易に合わせることができ、また側板に設ける貫通孔を側板１４にも設けておくと、リール１１の表裏を区分する必要がなくなる。
【００４５】
また、上記の説明において、エンボステーピング品４の押え部２２のくの字形の押え爪２７，２８は、二つとも折り曲げ部２７Ａ，２８Ａを中心として回動するものとして説明したが、これを、図６の他の押え爪によるエンボステーピング品の先端の係止方法の概念図に示すように、エンボステーピング品４の凹部２Ａが設けられた側に当接するくの字形の押え爪３５のみが、同図に矢印で示すように回動して、その内平板部３５Ｃがエンボステーピング品４の一端部４Ａ先端の凹部２Ａの外周に引っ掛かり、他方の押え爪３６は動かないようにしても、上記の場合と同様のエンボステーピング品４の一端部４Ａのガイド部および係止部としての役割をすることができ、押え爪３５，３６部分の構成を簡単なものとすることができる。
【００４６】
（実施の形態２）
実施の形態２を用いて、本発明の特に請求項４記載の発明について説明する。
【００４７】
なお、実施の形態１の構成と同一構成の部分には同一符号を付して、詳細な説明を省略する。
【００４８】
図７は本発明の第２の実施の形態によるエンボステーピング品の巻取り装置にリールを装着した状態における要部の正面断面図、図８は同押え爪部分の拡大斜視図であり、同図に示すように、本実施の形態による巻取り装置は上記の実施の形態１によるものに対して、二つの押え爪３７，３８の形状・大きさが異なり、それに伴ってエンボステーピング品４を巻き取る際の動作が異なるものである。
【００４９】
すなわち、二つの押え爪３７，３８は実施の形態１における押え爪２７，２８の内平板部２７Ｃ，２８Ｃに相当する部分だけ、すなわちリール３９の両側板４１，４２の間隔よりも狭い幅の短い平板状で、実施の形態１の場合と同様に、二つの支持軸４３，４４により、リール３９の中心軸と平行な一端３７Ａ，３８Ａの近傍を、エンボステーピング品４の厚さ寸法よりも広い間隔で、かつ連動して回動可能に支持されている。
【００５０】
なお、この支持軸４３，４４を介して前後動および回動させる駆動部４５（図７に点線で示す）に繋がっていることは実施の形態１と同様である。
【００５１】
そして、後述のように、エンボステーピング品４を巻き取る際に、二つの押え爪３７，３８が第一保持板４６の貫通孔４６Ａおよびリール３９の側板４１の貫通孔４１Ａを通ってリール３９の円筒状の芯軸４０内へ挿入・抜去される際には、二つの押え爪３７，３８は平行状態または支持されない側の自由端３７Ｂ，３８Ｂが近接した状態である。
【００５２】
従って、押え爪３７，３８が小さくなっている分だけ、第一保持板４６の貫通孔４６Ａおよびリール３９の側板４１の貫通孔４１Ａは実施の形態１における二つの貫通孔１３Ａ，２４Ａよりも小さくてよいが、二つの押え爪３７，３８を支持する支持軸４３，４４は、二つの貫通孔４６Ａ，４１Ａの中心よりもリール３９の外周側に位置している。
【００５３】
次に、このような構成の本実施の形態によるエンボステーピング品の巻取り装置の動作について説明する。
【００５４】
第二回転軸２５にリール３９を装着して、第一保持板４６の貫通孔４６Ａとリール３９の側板４１の貫通孔４１Ａとの角度位置を合わせるまでは、実施の形態１と同じである。
【００５５】
そしてこの後、二つの押え爪３７，３８をリール３９の円筒状の芯軸４０内に挿入する場合から抜去する場合まで、支持軸４３，４４を介して駆動部４５により動かされる押え爪３７，３８の動きを、図９（ａ）〜（ｃ）の押え爪の先端側から見た押え爪部分の動作を説明する概念図を用いて説明する。
【００５６】
まず、二つの押え爪３７，３８が第一保持板４６の貫通孔４６Ａおよびリール３９の側板４１の貫通孔４１Ａを通ってリール３９の円筒状の芯軸４０内へ挿入される場合には、上述のように、二つの押え爪３７，３８は平行状態または自由端３７Ｂ，３８Ｂが近接した図９（ａ）に示す状態で挿入されて、図７に示す状態となる。
【００５７】
次に、駆動部４５の歯車（図示せず）が回転して、支持軸４３，４４すなわち二つの押え爪３７，３８を、一端３７Ａ，３８Ａの支持部を中心として、エンボステーピング品４に当たらないように、自由端３７Ｂ，３８Ｂが互いに離れる方向に向けて回動させて、図９（ｂ）に示すそれぞれの自由端３７Ｂ，３８Ｂが回動中心よりもリール３９の外周側において扇形に広がった状態にしてから、巻き取るべきエンボステーピング品４の先端をリール３９の外周から両側板４１，４２の間に入れて、エンボステーピング品４の一端部４Ａを芯軸４０の開口部４０Ａから二つの押え爪３７，３８の間に挿入する。
【００５８】
この時、扇形に広がった二つの押え爪３７，３８の平板部はエンボステーピング品４の一端部４Ａが確実に二つの押え爪３７，３８の間に入り込むようにするガイド部の役割をする。
【００５９】
この後、駆動部４５の歯車が上記とは逆方向へ回転して、支持軸４３，４４すなわち二つの押え爪３７，３８は、一端３７Ａ，３８Ａの支持部を中心として互いに上記とは反対方向に回動し、図９（ｃ）に示すように、それぞれの自由端３７Ｂ，３８Ｂどうしを接近させることによって、エンボステーピング品４の一端部４Ａをしっかりと挟み付けて、押え爪３７の自由端３７Ｂが凹部２Ａの外周に引っ掛かってエンボステーピング品４の一端部４Ａ先端が係止される。
【００６０】
すなわち、二つの押え爪３７，３８の自由端３７Ｂ，３８Ｂがエンボステーピング品４の一端部４Ａの係止部の役割をする。
【００６１】
そして、この状態において、第二回転軸２５すなわちリール３９を所定の方向に回転させると、エンボステーピング品４はリール３９に巻き取られていき、エンボステーピング品４の一端部４Ａを挟持した二つの押え爪３７，３８と支持軸４３，４４および、支持軸４３，４４に貫通孔４６Ａの内縁を押される第一保持板４６並びに、これと固定された第一回転軸２３もリール３９と同方向に同期して回転することは、実施の形態１と同様である。
【００６２】
この後、リール３９に所定量のエンボステーピング品４を巻き終わるまで回転させた後、あるいは、エンボステーピング品４がリール３９の芯軸４０の周囲に一巻を越えて巻かれて、リール３９との間で空転しない状態になったら、二つの押え爪３７，３８を図９（ｃ）の状態のまま或いは平行状態に戻してから、駆動部４５のプランジャ（図示せず）で引張ることによって、二つの押え爪３７，３８をリール３９の円筒状の芯軸４０から抜去すること、またその後、リール３９に所定量のエンボステーピング品４が巻かれた後で、第二回転軸２５を第一回転軸２３から離してリール３９を取り外すことも実施の形態１と同じである。
【００６３】
このように本実施の形態によれば、二つの押え爪３７，３８がシンプルな短い平板状であって、その自由端３７Ｂ，３８Ｂが回動中心よりもリール３９の外周側の位置において扇形に広がった場合には、エンボステーピング品４の一端部４Ａが確実に二つの押え爪３７，３８の間に入り込むようにするガイド部の役割をし、自由端３７Ｂ，３８Ｂが回動中心よりもリール３９の中心側において近接した状態になると、エンボステーピング品４の一端部４Ａの係止部の役割をすることができ、更に、この状態において二つの押え爪３７，３８をリール３９の円筒状の芯軸４０内に挿入・抜去させれば、側板４１の貫通孔４１Ａの径を小さなものにすることができるものである。
【００６４】
【発明の効果】
以上のように本発明によれば、エンボステーピング品のリールへの巻き始め時に、リールの側板の貫通孔に対してリールの芯軸に平行な軸線方向から挿入した二つの押え爪を回動させることによって上記二つの押え爪でエンボステーピング品の一端部をしっかり挟み付けて、その状態でリールと共に上記二つの押え爪および、上記二つの押え爪を回動可能に支持する支持軸を同方向に同期して回転させてエンボステーピング品の巻き取りを開始するものとしたため、リールの芯軸の開口部からエンボステーピング品の一端部が抜けることを少なくすることができ、しかもリールの共用化ができて管理が容易であるエンボステーピング品の巻取り方法およびそれを用いた巻取り装置を実現できるという有利な効果が得られる。
【図面の簡単な説明】
【図１】本発明の第１の実施の形態によるエンボステーピング品の巻取り装置にリールを装着した状態における要部の正面断面図
【図２】同巻取り装置に使用するリールの部分断面の斜視図
【図３】同巻取り装置の要部の部分断面の斜視図
【図４】同要部である押え爪部分の拡大斜視図
【図５】（ａ），（ｂ）同押え爪の先端側から見た押え爪部分の動作を説明する概念図
【図６】同他の押え爪によるエンボステーピング品の先端の係止方法の概念図
【図７】本発明の第２の実施の形態によるエンボステーピング品の巻取り装置にリールを装着した状態における要部の正面断面図
【図８】同要部である押え爪部分の拡大斜視図
【図９】（ａ）〜（ｃ）同押え爪の先端側から見た押え爪部分の動作を説明する概念図
【図１０】従来のエンボステーピング品をリールに巻き付ける包装形態を説明する斜視図
【図１１】同要部であるリールの部分断面の斜視図
【図１２】同要部であるリールの芯軸部分の正面断面図
【符号の説明】
２Ａ  凹部
４  エンボステーピング品
４Ａ  一端部
１１，３９  リール
１２，４０  芯軸
１３，１４，４１，４２  側板
１３Ａ，２４Ａ，４１Ａ，４６Ａ  貫通孔
１５，４０Ａ  開口部
１６  中心孔
２１  保持部
２２  押え部
２３  第一回転軸
２４，４６  第一保持板
２５  第二回転軸
２５Ａ  金属羽根
２６  第二保持板
２７，２８，３５，３６，３７，３８  押え爪
２７Ａ，２８Ａ  折り曲げ部
２７Ｂ，２８Ｂ  外平板部
２７Ｃ，２８Ｃ，３５Ｃ  内平板部
２９，３０，４３，４４  支持軸
３１，４５  駆動部
３２  枠体
３３  歯車部
３４  プランジャ
３７Ａ，３８Ａ  一端
３７Ｂ，３８Ｂ  自由端
【図１】
0004100039.tif 000002
【図２】
0004100039.tif 000003
【図３】
0004100039.tif 000004
【図４】
0004100039.tif 000005
【図５】
0004100039.tif 000006
【図６】
0004100039.tif 000007
【図７】
0004100039.tif 000008
【図８】
0004100039.tif 000009
【図９】
0004100039.tif 000010
【図１０】
0004100039.tif 000011
【図１１】
0004100039.tif 000012
【図１２】
0004100039.tif 000013